(57)【要約】【課題】集中伝送装置の電源投入と同時に自動的に端子に接続されている端末の情報を取得することにより、設置作業の手間を省き作業時間を短縮できる集中伝送システムを提供する。【解決手段】集中伝送システムは、複数の端末５１〜５ｎを接続する端子６１〜６ｎを有する集中伝送装置４と、該端子に接続された複数の端末５１〜５ｎとを備える。集中伝送装置４の電源投入を行ったとき、集中伝送装置４が複数の端末５１〜５ｎとの間で通信を行い、集中伝送装置４は、その通信において、集中伝送装置４からの要求に応じて又は端末５１〜５ｎ側からの自発的な発信で、各端末の識別情報である事業体コード及びＩＤ（識別符号）を取得する。【選択図】図１
2007288442.tif 000002
【特許請求の範囲】
【請求項１】
複数の端子を有する集中伝送装置と、該端子にそれぞれ接続された複数の端末とを備える集中伝送システムにおいて、前記集中伝送装置の電源投入を行ったとき、前記集中伝送装置が前記複数の端末との間で行う通信によって前記各端末の識別情報を取得することを特徴とする集中伝送システム。
【請求項２】
前記集中伝送装置は、前記識別情報を記憶する不揮発性の記憶手段を有し、前記集中伝送装置の電源投入を行ったとき、前記記憶手段に識別情報が記憶されていない前記端末に対してのみ前記通信を行い該端末の前記識別情報を取得することを特徴とする請求項１に記載の集中伝送システム。
【請求項３】
前記集中伝送装置の電源投入を行ったとき、全ての前記端子に対して前記端末の接続検知を行い、接続検知された前記端末に対してのみ前記通信を行い該端末の前記識別情報を取得することを特徴とする請求項１に記載の集中伝送システム。
【請求項４】
前記集中伝送装置から前記各端末に対して電源供給されており、前記端末は電源投入とともに端末発呼を行う機能を有し、前記集中伝送装置の電源投入を行ったとき前記集中伝送装置が受信した前記端末発呼を行った前記端末に対してのみ前記通信を行って、該端末の前記識別情報を取得することを特徴とする請求項１に記載の集中伝送システム。
【請求項５】
前記端末は、前記電源投入とともに前記端末発呼を行うときに該端末の識別情報を発信し、該集中伝送装置はこれを受信して該端末の前記識別情報を取得する請求項４に記載の集中伝送システム。
【請求項６】
前記集中伝送装置は一定期間毎に前記端末と前記通信を行い、該端末の前記識別情報を取得することを特徴とする請求項１〜５のいずれかに記載の集中伝送システム。
【請求項７】
前記識別情報は、前記端末に割り当てられている事業体コード又はＩＤであることを特徴とする請求項１〜６のいずれかに記載の集中伝送システム。
【発明の詳細な説明】
【技術分野】
【０００１】
本発明は、端子に接続されている複数の端末の情報を取得して集中伝送する集中伝送システムに関する。
【背景技術】
【０００２】
網制御装置を介して一般公衆電話回線と接続されている集中伝送装置であって、センターからの要求による検針及びメータ端末からの発呼等の中継機能を有する集中伝送装置は、公知である（例えば特許文献１を参照）。この種の集中伝送装置は、例えば、集合住宅の各住戸に設置されている電気、ガス、水道などのメータ端末と通信線にて接続され、更に端末用網制御装置を介して一般公衆電話回線と接続され、センターからの要求による検針及びメータ端末からの警報発報等の中継機能を有する、電気、ガス、水道などの自動検針システムにおける双方向通信型集中検針盤として適用されている。
【０００３】
この集中伝送装置は、複数の端子を有しているので、網制御装置から受信した通信内容をいずれの端子に対して送信するか、という端子を選択する機能が必要となる。通常、端子を選択するにあたっては、端子に接続されている端末の事業体コード及びＩＤ（識別符号）を集中伝送装置が記憶しておく。各端末の事業体コード及びＩＤを取得するためには、センター及び設定器から集中伝送装置へ設定電文を送り、その電文内容に従って事業体コード、ＩＤのテーブル情報を作成している。
【特許文献１】特許第２５８００４３号公報
【発明の開示】
【発明が解決しようとする課題】
【０００４】
集中伝送装置は、各端末の事業体コード、ＩＤのテーブル情報がない限り、網（ネットワーク）から端末への通信は不可能であり、このテーブル情報を円滑に無駄なく作成することが集中伝送装置を使用するにあたって効果的となる。
【０００５】
本発明の目的は、集中伝送装置の電源投入と同時に自動的に端子に接続されている端末の情報を取得することにより、端末設置作業の手間を省きシステム構築の作業時間を短縮できる集中伝送システムを提供することである。
【課題を解決するための手段】
【０００６】
上記目的を達成するために、本発明による集中伝送システムは、複数の端子を有する集中伝送装置と、該端子にそれぞれ接続された複数の端末とを備える集中伝送システムにおいて、前記集中伝送装置の電源投入を行ったとき、前記集中伝送装置が前記複数の端末との間で行う通信によって前記各端末の識別情報を取得することを特徴としている。
【０００７】
この集中伝送システムによれば、集中伝送装置の電源投入を行ったとき、電源投入と同時に、集中伝送装置が複数の端末との間で通信が自動的に行われ、集中伝送装置は各端末の識別情報を取得するので、取得した識別情報に基づいて網（ネットワーク）から端末への通信の準備を円滑に整えることができる。集中伝送装置は、電源投入を行ったときに、複数の端末との間で行う通信において、各端末の識別情報を要求することができる。
【０００８】
この集中伝送システムにおいて、前記集中伝送装置は、前記識別情報を記憶する不揮発性の記憶手段を有し、前記集中伝送装置の電源投入を行ったとき、前記記憶手段に識別情報が記憶されていない前記端末に対してのみ前記通信を行い該端末の前記識別情報を取得することができる。この集中伝送システムによれば、不揮発性の記憶手段に記憶されている端末の識別情報については取得のための通信は不要であるとして、記憶手段に識別情報が記憶されていない端末に対してのみ通信を行い、該端末の識別情報を取得する。したがって、識別情報取得のための通信（通信回数及び通信時間）を必要最小限にして、効率化を図ることができる。
【０００９】
この集中伝送システムにおいて、前記集中伝送装置の電源投入を行ったとき、全ての前記端子に対して前記端末の接続検知を行い、接続検知された前記端末に対してのみ前記通信を行い該端末の前記識別情報を取得することができる。この集中伝送システムによれば、電源投入時に接続検知が確認された端末に対してのみ該端末の識別情報の取得のための通信が行われるので、識別情報の取得のための無駄な通信（通信回数及び通信時間）が行われず、識別情報の取得を効率良く行うことができる。
【００１０】
この集中伝送システムにおいて、前記集中伝送装置から前記各端末に対して電源供給されており、前記端末は電源投入とともに端末発呼を行う機能を有し、前記集中伝送装置の電源投入を行ったとき前記集中伝送装置が受信した前記端末発呼を行った前記端末に対してのみ前記通信を行って、該端末の前記識別情報を取得することができる。この集中伝送システムによれば、端末が電源投入とともに端末発呼を行う機能を有することを利用して、集中伝送装置の電源投入を行ったとき端末発呼を受信した端末に対してのみ前記通信を行い該端末の前記識別情報を取得するので、端末の識別番号がしばしば変更されるような場合でも、端末発呼を行った当該端末との通信が確実に行われ、通信の手間及び通信時間を短縮でき、識別情報の取得を効率良く行うことができる。
【００１１】
この集中伝送システムにおいて、前記端末は、電源投入とともに端末発呼を行う時に該端末の識別情報を発信し、該集中伝送装置はこれを受信して該端末の前記識別情報を取得することができる。この集中伝送システムによれば、端末は電源投入とともに端末発呼を行う時に合わせて該端末の識別情報をも発信するので、集中伝送装置は端末との通信を効率的に利用して通信の手間及び通信時間を短縮でき、識別情報を取得することができる。      
【００１２】
この集中伝送システムにおいて、前記集中伝送装置は一定期間毎に前記端末と前記通信を行い、該端末の前記識別情報を取得することができる。この集中伝送システムによれば、取得されている識別情報と実際に接続されている端末との識別情報の不一致を防ぐことができ、有効な識別情報の取得が確実である。
【００１３】
この集中伝送システムにおいて、前記識別情報は、前記端末に割り当てられている事業体コード又はＩＤであるとすることができる。
【発明の効果】
【００１４】
本発明のよる集中伝送システムは、集中伝送装置の電源投入とともに複数の端末との間で通信を行い、その通信の中で端子に接続されている端末の識別情報を集中伝送装置からの要求に応じて又は自動的に取得することにより、端末設置作業の手間を省きシステム構築の作業時間を短縮することができる。
【発明を実施するための最良の形態】
【００１５】
以下、本発明による集中伝送システムの好適な実施の形態を図面を参照して説明する。図１は、本発明による集中伝送システムの一実施例を示す通信システムの概略構成図である。図１において、集中伝送システムは、集中伝送装置４と、複数の端末５１〜５ｎから構成されている。センター１は通信網２を通じて網制御装置３と通信を行う。網制御装置３は、集中伝送装置４に接続されており、集中伝送装置４は複数の端子６１〜６ｎを有している。集中伝送装置４の複数の端子６１〜６ｎは、それぞれ複数の端末５１〜５ｎに接続されており、集中伝送装置４は複数の端末５１〜５ｎと通信を行う。
【００１６】
集中伝送装置４は、フラッシュメモリなどのＥＥＰＲＯＭ（electrically erasable and programmable read only memory ：電気的な書き換え可能な読み出し専用メモリ）７を備えている。ＥＥＰＲＯＭ７は、不揮発性の記憶手段の一例である。
【００１７】
［実施例１］
実施例１では、集中伝送装置４の電源投入時に、集中伝送装置４は端末５１から端末５ｎに対して順に通信を行う。図２には、この場合の集中伝送装置４と端末５１から端末５ｎとの通信手順の例を示す。本集中伝送システムは、電気、ガス、水道などの自動検針システムであることを想定しており、集中伝送装置４は検針要求を各端末５１〜５ｎに送信し、各端末５１〜５ｎからの応答電文から検針結果である識別情報としての事業体コード、ＩＤ（識別符号）を取得する。検針結果を得た集中伝送装置４は、終了電文を各端末５１〜５ｎに送信する。集中伝送装置４は全ての端子６１〜６ｎに対して通信を行うことにより、通信網２から受信される電文を各端子６１〜６ｎに切り替えて、複数の端末５１〜５ｎと通信することが可能となる。
【００１８】
［実施例２］
実施例２は実施例１の改良例である。実施例１では、集中伝送装置４の電源投入毎に全ての端子６１〜６ｎに対して通信を行っていた。この方式では端子６１〜６ｎの数が増えるほど、通信時間が増大してゆく。そこで、一度接続した端子６１〜６ｎの変更は極めて稀であると仮定した上で、実施例１での通信結果を集中伝送装置４のＥＥＰＲＯＭ７に記憶しておく。そして、次に再び集中伝送装置１の電源投入された時に、集中伝送装置４は記憶手段であるＥＥＰＲＯＭ７から通信結果を読み出し、通信結果の無い、即ち、記憶情報に記憶されていない端末５１〜５ｎに対してのみ端子のみに対して改めて通信を行って識別情報を取得する。これにより、既に事業体コード、ＩＤを所持している端子については、通信を行う手間が省け、通信時間が短縮される。
【００１９】
［実施例３］
実施例３は、実施例２の場合とは異なり、一度接続した端子は変更が稀であるという仮定が成り立たない場合の例である。実施例３では、図１において、集中伝送装置４が端末５１〜５ｎの接続検知機能を有していれば非常に有効である。例えば、集中伝送装置４と端末５１〜５ｎとの間に通信回線に加えて電源回線を持つシステムであれば、集中伝送装置４の電源が入ると同時に、接続されている端末５１〜５ｎ側にも電源が入る。これにより、集中伝送装置４は、電源が入った端末５１〜５ｎにのみ通信を行うことにより、効率的に端末５１〜５ｎのテーブル情報（識別情報）を取得することができる。
【００２０】
［実施例４］
実施例４は、実施例３のように電源回線を通じて集中伝送装置１と各端末５１〜５ｎとが同期をとることができ、かつ端末５１〜５ｎ側に電源投入直後に、端末発呼（例えば停電復旧発呼のような）の発呼機能を有する例である。実施例４によれば、端末発呼を用いてテーブル情報（識別情報）を取得することが可能である。図３には、集中伝送装置１と端末５１〜５ｎの間での発呼の通信手順を示す。集中伝送装置４に電源が入ると、集中伝送装置４は各端末５１〜５ｎに順に電源を投入してゆく。電源を投入された端末５１〜５ｎは電源投入直後に発呼機能を有し、それに従って発呼を行う。発呼された電文から事業体コード、ＩＤを取得することで、不要な通信を廃することができる。
【００２１】
［実施例５］
実施例５では、上記実施例４は全て電源投入直後の動作であるが、集中伝送装置４が稼動している間に後付で設置された端末５１〜５ｎに対しても、事業体コード、ＩＤ（端末の識別情報）の取得は可能である。後付けされた端末５１〜５ｎが端末発呼した時に、集中伝送装置４のＥＥＰＲＯＭ７にその発呼電文から事業体コード、ＩＤを記憶する。それ以降、後付けされた端末５１〜５ｎの事業体コード、ＩＤを示す電文を網制御装置３から受信した場合は、その情報に従って通信することができる。
【００２２】
［実施例６］
実施例６は、端子６１〜６ｎの接続変更が度々起こるような集中伝送システムでは、定期的に情報を更新する例である。実施例６によれば、集中伝送装置４に対して通信を行う周期をあらかじめ設定しておき（たとえば１ヶ月ごと）、その周期が来るたびに集中伝送装置４の電源投入時と同様の通信をして端末５１〜５ｎの識別情報を取得する。これにより、取得されている識別情報と実際に接続されている端末との識別情報の不一致を防ぐことができ、識別情報の取得が有効である。
【００２３】
本発明は、上記実施形態に限定されず、特許請求の範囲を逸脱しない範囲で種々の変更を行うことができる。上記実施形態の各構成は、その一部を省略する、或いは上記とは異なるように任意に組み合わせることができる。例えば、事業体コードについては、センター側の運営方法によっては固定の場合もあり得るので、ＩＤのみが識別情報となり得る。
【図面の簡単な説明】
【００２４】
【図１】本発明が適用される集中伝送システムが適用される通信システムの概略構成を示す図である。
【図２】集中伝送装置と端末間の検針シーケンスを示す図である。
【図３】集中伝送装置と端末間の端末発呼シーケンスを示す図である。
【符号の説明】
【００２５】
１  センター
２  通信網
３  網制御装置
４  集中伝送装置
５１〜５ｎ  端末
６１〜６ｎ  集中伝送装置の端子
７  ＥＥＰＲＯＭ
【図１】
2007288442.tif 000003
【図２】
2007288442.tif 000004
【図３】
2007288442.tif 000005